(57)【要約】【課題】殺虫殺菌剤の流出による紛失を防止でき、長期に亘って殺虫殺菌効果を維持でき、殺虫殺菌剤を無駄なく使い切ることができる殺虫殺菌器具を提供する。【解決手段】殺虫殺菌器具１Ａは、水中の殺虫殺菌に用いられる水接触型固形殺虫殺菌剤２０を、水が滞留する雨水ます２Ａ内に保持するものであって、該水接触型固形殺虫殺菌剤２０と該水接触型固形殺虫殺菌剤２０が収容される容器部１１の外周に設けられたフロート部１５とを有する殺虫殺菌剤保持体１０と、該殺虫殺菌剤保持体１０を、該雨水ます２Ａ内の水位に合わせて鉛直方向に移動自在とし、かつ水平方向の移動範囲を規制するガイド筒部５Ａと、を備えている。【選択図】図１
2013023950.tif 000002
【特許請求の範囲】
【請求項１】
水中の殺虫殺菌に用いられる水接触型固形殺虫殺菌剤を、水が滞留する水滞留部内に保持する殺虫殺菌器具であって、
該水接触型固形殺虫殺菌剤と該水接触型固形殺虫殺菌剤を水に浮かべるためのフロート部とを有し、該フロート部の浮力で該水滞留部内の水に浮かべられると、該水接触型固形殺虫殺菌剤が該水滞留部内の水に接触する殺虫殺菌剤保持体と、
該水滞留部内の水に浮かべられた該殺虫殺菌剤保持体を、該水滞留部内の水位に合わせて鉛直方向に移動自在とし、かつ水平方向の移動範囲を規制するガイド部と、
を備えていることを特徴とする殺虫殺菌器具。
【請求項２】
前記ガイド部が、前記水滞留部の内周面から突設されたガイド壁部であり、
前記殺虫殺菌剤保持体が、該ガイド壁部と該水滞留部の内周面とで囲まれ、かつ該水滞留部内の水が流入可能な空間内に配置されている
請求項１に記載の殺虫殺菌器具。
【請求項３】
前記ガイド部が、前記水滞留部内に略鉛直方向に沿って配設されたガイド筒部であり、
該ガイド筒部の側壁には透水部が形成され、該透水部を介して該水滞留部内の水が流入する該ガイド筒部内に、前記殺虫殺菌剤保持体が配置されている
請求項１に記載の殺虫殺菌器具。
【請求項４】
前記ガイド部が、前記水滞留部内に略鉛直方向に沿って配設されたガイド柱部であり、
前記殺虫殺菌剤保持体には、略鉛直方向に開口し、該ガイド柱部の外径より大きい孔径の貫通孔が形成され、
該ガイド柱部が該殺虫殺菌剤保持体の貫通孔内に挿通されている
請求項１に記載の殺虫殺菌器具。
【請求項５】
前記ガイド部が、前記水滞留部の内周面に略鉛直方向に沿って設けられたガイド係合部であり、
前記殺虫殺菌剤保持体は、該ガイド係合部に係合する被係合部を備え、
該被係合部が該ガイド係合部に係合した状態で、該殺虫殺菌剤保持体が、該ガイド係合部に沿って水滞留部内の水位に合わせて鉛直方向に移動自在であり、かつ水平方向の移動範囲が規制されている
請求項１に記載の殺虫殺菌器具。
【請求項６】
前記水接触型固形殺虫殺菌剤は、水溶性であり、
前記殺虫殺菌剤保持体が、
該水接触型固形殺虫殺菌剤が収容され、側壁に透水部が形成されている容器部を有し、該容器部に前記フロート部が配設されており、
該殺虫殺菌剤保持体の該容器部の透水部を介して該水接触型固形殺虫殺菌剤が前記水滞留部内の水と接触している
請求項１乃至請求項５のいずれか１項に記載の殺虫殺菌器具。
【請求項７】
前記水滞留部内に前記殺虫殺菌剤保持体が配置された初期状態において、前記容器部内の前記水接触型固形殺虫殺菌剤の上端部は該水滞留部内の水位より上方に位置している
請求項６に記載の殺虫殺菌器具。
【請求項８】
前記水接触型固形殺虫殺菌剤は多数の粒の集合体である
請求項６又は請求項７に記載の殺虫殺菌器具。
【発明の詳細な説明】
【技術分野】
【０００１】
本発明は、水中の殺虫殺菌をするための水接触型固形殺虫殺菌剤を、雨水ますや貯留槽などの水が滞留する水滞留部内に保持して虫や菌の発生を防止する殺虫殺菌器具に関するものである。
【背景技術】
【０００２】
雨水ますや貯留槽などの水が滞留する水滞留部において、ボウフラや蚊の発生を防止しようとする構成は、いくつか提案されている（例えば、特許文献１，２参照。）。
【０００３】
特許文献１には、雨水ますにおいてボウフラが発生するのを防止するボウフラ発生防止具が開示されており、該ボウフラ発生防止具は、雨水ます内の水に浮揚されて使用される。また特許文献２には、蚊の発生を防止した防蚊雨水ますが開示されている。かかる構成は、雨水ますの水が滞留する所要箇所に銅部材または銅合金部材が固定される。
【先行技術文献】
【特許文献】
【０００４】
【特許文献１】特開２００８−３８５７８号公報
【特許文献２】特開２０００−１５４５８９号公報
【発明の概要】
【発明が解決しようとする課題】
【０００５】
しかしながら、特許文献１に開示された構成は、ボウフラ発生防止具が雨水ますに設けられた流出口等を介して雨水ますの外へ流れ出てしまうおそれがあった。ここで、ボウフラ発生防止具の流出を防止すべく、該流出口等より大きな寸法のボウフラ発生防止具を採用することが提案されるものの、このようなボウフラ発生防止具を雨水ます内に配置すると、該雨水ますの貯水容量を小さくしてしまうという問題が生ずる。また、雨水ます内の水深が浅すぎると、該ボウフラ発生防止具が倒れて適切に浮遊しなくなり、場合によっては該ボウフラ発生防止具の上に砂泥等が堆積して水との接触が断たれ、殺虫効果が得られなくなるおそれもあった。
【０００６】
特許文献２に開示された構成においても、銅部材等の上に砂泥等が堆積あるいは定着してしまい、殺虫効果が得られなくなるという問題がある。また、銅部材等は雨水ますに対して固定されているため、長期間水に浸る部位に錆が生じやすい。錆び付いた部位は殺虫効果がほとんど得られないため部材交換を要するが、該銅部材等にまだ錆が発生していない部位が残っていても、全体として部材交換しなければならず、無駄が生じやすい。
【０００７】
そこで、本発明は、水が滞留する水滞留部において、殺虫殺菌剤の流出による紛失を防止できる殺虫殺菌器具を提供することを目的とする。
【課題を解決するための手段】
【０００８】
本発明は、水中の殺虫殺菌に用いられる水接触型固形殺虫殺菌剤を、水が滞留する水滞留部内に保持する殺虫殺菌器具であって、該水接触型固形殺虫殺菌剤と該水接触型固形殺虫殺菌剤を水に浮かべるためのフロート部とを有し、該フロート部の浮力で該水滞留部内の水に浮かべられると、該水接触型固形殺虫殺菌剤が該水滞留部内の水に接触する殺虫殺菌剤保持体と、該水滞留部内の水に浮かべられた該殺虫殺菌剤保持体を、該水滞留部内の水位に合わせて鉛直方向に移動自在とし、かつ水平方向の移動範囲を規制するガイド部と、を備えていることを特徴とする殺虫殺菌器具である。
【０００９】
かかる構成にあって、前記水接触型固形殺虫殺菌剤は、水に接触することでその水中に対して殺虫殺菌効果を発揮するものであり、略全溶するまで殺虫殺菌効果が発揮される水溶性のものも、殺虫殺菌効果が失われても全溶せずに外形がほぼそのまま残る非水溶性のものも含まれる。該水接触型固形殺虫殺菌剤は前記水滞留部内の水に浮かべられた状態で水に接触しており、該水滞留部内の水位の変動に関わらず一定深さで水に浸ることになる。このため、水と接触する水接触型固形殺虫殺菌剤の量が一定となり、殺虫殺菌効果が安定して持続することとなる。また、前記ガイド部が該殺虫殺菌剤保持体の水平方向の移動範囲を規制しているため、該水滞留部の外に該殺虫殺菌剤保持体が誤って流れ出てしまうことが防止され、紛失してしまうことがない。なお、該ガイド部材は、殺虫殺菌剤保持体の上下動は許容しているため、該水滞留部内の水位に応じて該殺虫殺菌剤保持体を適切に浮かべておくことができる。
【００１０】
また、前記ガイド部が、前記水滞留部の内周面から突設されたガイド壁部であり、前記殺虫殺菌剤保持体が、該ガイド壁部と該水滞留部の内周面とで囲まれ、かつ該水滞留部内の水が流入可能な空間内に配置されていてもよい。
【００１１】
かかる構成にあっては、該水滞留部の内周面の一部を用いて殺虫殺菌剤保持体をガイドすることが可能となり、殺虫殺菌器具の簡素化及び水滞留部の省スペース化が図れる。
【００１２】
また、前記ガイド部が、前記水滞留部内に略鉛直方向に沿って配設されたガイド筒部であり、該ガイド筒部の側壁には透水部が形成され、該透水部を介して該水滞留部内の水が流入する該ガイド筒部内に、前記殺虫殺菌剤保持体が配置されていてもよい。
【００１３】
かかる構成にあっては、該ガイド筒部を該水滞留部内の所望位置に配設することが可能となるため、設計の自由度が向上する。また、ガイド筒部の側壁によって囲まれた空間内に殺虫殺菌剤保持体が配置されるため、殺虫殺菌剤保持体の流出を確実に防止することができる。
【００１４】
さらに、前記ガイド部が、前記水滞留部内に略鉛直方向に沿って配設されたガイド柱部であり、前記殺虫殺菌剤保持体には、略鉛直方向に開口し、該ガイド柱部の外径より大きい孔径の貫通孔が形成され、該ガイド柱部が該殺虫殺菌剤保持体の貫通孔内に挿通されていてもよい。
【００１５】
かかる構成とすることにより、簡素な構造によって、水滞留部内の水に浮かべた殺虫殺菌剤保持体を、該水滞留部内の水位に合わせて鉛直方向に移動自在とし、かつ水平方向の移動範囲を規制することが可能となる。
【００１６】
さらに、前記ガイド部が、前記水滞留部の内周面に略鉛直方向に沿って設けられたガイド係合部であり、前記殺虫殺菌剤保持体は、該ガイド係合部に係合する被係合部を備え、該被係合部が該ガイド係合部に係合した状態で、該殺虫殺菌剤保持体が、該ガイド係合部に沿って水滞留部内の水位に合わせて鉛直方向に移動自在であり、かつ水平方向の移動範囲が規制されている構成としてもよい。
【００１７】
かかる構成にあっても、水滞留部内の水に浮かべた殺虫殺菌剤保持体を、該水滞留部内の水位に合わせて鉛直方向に移動自在とし、かつ水平方向の移動範囲を規制することが可能となる。
【００１８】
ところで、水接触型固形殺虫殺菌剤に対してフロート部を設ける手段としては、水接触型固形殺虫殺菌剤の外表面および／またはフロート部の外表面に結合部を設けて互いを直接結合させる構成が提案される。しかし、このような構成は、水接触型固形殺虫殺菌剤が水溶性であると、該水接触型固形殺虫殺菌剤が部分的に水に溶解して結合部における外形が変化してしまい、水接触型固形殺虫殺菌剤とフロート部との結合が解除されてしまうおそれがある。
【００１９】
そこで、前記水接触型固形殺虫殺菌剤は、水溶性であり、前記殺虫殺菌剤保持体が、該水接触型固形殺虫殺菌剤が収容され、側壁に透水部が形成されている容器部を有し、該容器部に前記フロート部が配設されており、該殺虫殺菌剤保持体の該容器部の透水部を介して該水接触型固形殺虫殺菌剤が前記水滞留部内の水と接触している構成が好ましい。
【００２０】
このように、水接触型固形殺虫殺菌剤が収容される容器部にフロート部を形成するようにすると、水溶性の水接触型固形殺虫殺菌剤が水に溶解して外形が変形しても該水接触型固形殺虫殺菌剤とフロート部とが分離してしまうことを防止でき、該水接触型固形殺虫殺菌剤を使い切るまで該水接触型固形殺虫殺菌剤を水に浮かべ続けることが可能となる。
【００２１】
さらに、前記水滞留部内に前記殺虫殺菌剤保持体が配置された初期状態において、前記容器部内の前記水接触型固形殺虫殺菌剤の上端部は該水滞留部内の水位より上方に位置している構成が好ましい。
【００２２】
かかる構成にあっては、該水接触型固形殺虫殺菌剤の少なくとも水位より下方にある部分から溶解し、これに対応して水接触型固形殺虫殺菌剤が順次下降することとなる。このため、水接触型固形殺虫殺菌剤が適量だけ順次消費されることになり、殺虫殺菌効果が持続しやすく、また水接触型固形殺虫殺菌剤の全量を無駄なく使い切ることも可能となる。
【００２３】
また、前記水接触型固形殺虫殺菌剤は多数の粒の集合体である構成が好ましい。
【００２４】
かかる構成にあっては、水接触型固形殺虫殺菌剤が水に溶解しやすく、かつ該容器部内において該水接触型固形殺虫殺菌剤の下部の溶解によって生じる下方の隙間を該水接触型固形殺虫殺菌剤の上部が埋めるように円滑に下降するため、常時適切な量の該水接触型固形殺虫殺菌剤が水に接触することとなる。
【発明の効果】
【００２５】
本発明の殺虫殺菌器具は、殺虫殺菌剤が水滞留部から流出して紛失してしまうことを防止できる効果がある。
【図面の簡単な説明】
【００２６】
【図１】実施例１にかかる殺虫殺菌器具を示す縦断面図。
【図２】実施例１にかかる殺虫殺菌剤保持体を示す縦断面図。
【図３】実施例２にかかる殺虫殺菌器具を示す縦断面図。
【図４】実施例３にかかる殺虫殺菌器具を示し、（ａ）は平面図、（ｂ）は縦断面図、（ｃ）はその殺虫殺菌剤保持体の縦断面図。
【図５】実施例４にかかる殺虫殺菌器具を示し、（ａ）は縦断面図、（ｂ）はその殺虫殺菌剤保持体の平面図。
【図６】実施例５にかかる殺虫殺菌器具を示す縦断面図。
【図７】実施例６にかかる殺虫殺菌器具を示し、（ａ）はその分解平面図、（ｂ）はその変形例を示す分解平面図。
【発明を実施するための形態】
【００２７】
以下、本発明の殺虫殺菌器具を具体化した実施例を詳細に説明する。なお、本発明は、下記に示す実施例に限定されることはなく、適宜設計変更が可能である。
【００２８】
（実施例１）
図１に示すように、殺虫殺菌器具１Ａは、水が滞留する水滞留部としての雨水ます２Ａ内に、水中の殺虫殺菌に用いられる水接触型固形殺虫殺菌剤２０を保持するものである。ここで、該水接触型固形殺虫殺菌剤２０は、水溶性の固形材料からなり、水に接触して該水に溶解することで殺虫殺菌効果を発揮する。該水接触型固形殺虫殺菌剤２０としては、ボウフラや蚊等の発生を防止する公知技術の殺虫殺菌剤が好適に用いられるが、既に市販されている多数の粒の集合体である銀系無機抗菌剤（商品名：ノバロン  東亜合成株式会社製）が特に望ましい。
【００２９】
さらに詳述すると、図１に示すように、殺虫殺菌器具１Ａは、雨水ます２Ａ内に備え付けられたガイド部としてのガイド筒部５Ａと、該ガイド筒部５Ａ内に配置された、水接触型固形殺虫殺菌剤２０を備える殺虫殺菌剤保持体１０と、を有している。
【００３０】
前記ガイド筒部５Ａは、前記雨水ます２Ａ内に略鉛直方向に沿って配設された円筒部材で構成され、該ガイド筒部５Ａの側壁には透水部としての透水孔６が多数形成されている。そして、該透水孔６を介して該雨水ます２Ａ内の水が該ガイド筒部５Ａ内に流入可能となっている。また、該ガイド筒部５Ａの上端開口は、蓋部７によって遮蔽されている。なお、該透水孔６の寸法形状は特に限定されないが、該ガイド筒部５Ａ内への水の流入が円滑に行われ、かつ雨水ます２Ａ内のゴミ等が該ガイド筒部５Ａ内に流入しない程度の寸法に設定されていることが望ましい。
【００３１】
さらに、図２に示すように、該ガイド筒部５Ａ内に配置されている殺虫殺菌剤保持体１０は、有底円筒部材からなる容器部１１と、該容器部１１の外周に配設されたフロート部１５と、を有している。該容器部１１は、透明な樹脂材料からなり、該容器部１１内には、多数の粒の集合体である水接触型固形殺虫殺菌剤２０が充填されている。そして、該容器部１１の上端開口にはキャップ１３が装着されている。また、該容器部１１下部の側壁には、透水部としての透水孔１２が多数形成されている。さらに、該容器部１１の外周には、フランジ形状の係合部１４が形成され、該係合部１４の周囲にフロート部１５が係着している。該フロート部１５は、発泡プラスチックや発泡ゴム等の殺虫殺菌剤保持体１０が水に浮くのに充分な浮力を有する材料からなる成形体で構成されている。
【００３２】
そして、該殺虫殺菌剤保持体１０は、該ガイド筒部５Ａ内において前記フロート部１５の浮力で該雨水ます２Ａ内の水に浮かべられており、該殺虫殺菌剤保持体１０の水接触型固形殺虫殺菌剤２０が透水孔１２を介して該雨水ます２Ａ内の水と接触している。
【００３３】
ここで、図１に示すように、該ガイド筒部５Ａは、殺虫殺菌剤保持体１０を該雨水ます２Ａ内の水位に合わせて鉛直方向に移動自在とし、かつ水平方向の移動範囲を規制する役割を果たしている。なお、該ガイド筒部５Ａの内径は、該殺虫殺菌剤保持体１０の保守管理や、該ガイド筒部５Ａ内の砂泥等の清掃作業等が容易に行える程度の寸法に設定されている。
【００３４】
これまでに述べた上記構成にあっては、前記殺虫殺菌剤保持体１０における水接触型固形殺虫殺菌剤２０が、雨水ます２Ａ内の水位の高さに関わらず一定深さだけ水に浸ることになるため、水に接触する水接触型固形殺虫殺菌剤２０の量が一定となり、殺虫殺菌効果が安定して持続することとなる。また、前記ガイド筒部５Ａによって殺虫殺菌剤保持体１０の水平方向の移動範囲が規制されているため、該雨水ます２Ａに形成された管接続口（特に流出管接続口）８を介して該殺虫殺菌剤保持体１０が雨水ます２Ａの外へ流れ出てしまうおそれがない。また、水接触型固形殺虫殺菌剤２０を容器部１１に収容し、該容器部１１にフロート部１５を形成する構成にしたため、該水接触型固形殺虫殺菌剤２０が部分的に水に溶解して外形が変化しても、該水接触型固形殺虫殺菌剤２０とフロート部１５とが分離して該水接触型固形殺虫殺菌剤２０だけが水底に沈んでしまうおそれがない。
【００３５】
なお、図２に示すように、雨水ます２Ａ内に前記殺虫殺菌剤保持体１０が配置された初期状態においては、容器部１１内の水接触型固形殺虫殺菌剤２０の上端部が該雨水ます２Ａ内の水位より上方に位置し、該水接触型固形殺虫殺菌剤２０の水面下に配された下部から順に溶解し、これに対応して該水接触型固形殺虫殺菌剤２０の上部が容器部１１内の該水接触型固形殺虫殺菌剤２０の下部の溶解によって生じる下方の隙間を埋めるように順次下降する。このため、水接触型固形殺虫殺菌剤２０は適量だけ順次消費されることになり、殺虫殺菌効果が持続しやすい。また、上記した多数の粒の集合体である銀系無機抗菌剤からなる水接触型固形殺虫殺菌剤２０は、全部が水に対して易溶であるため、水接触型固形殺虫殺菌剤２０の全量を無駄なく使い切ることができる。
【００３６】
さらに上記構成は、水接触型固形殺虫殺菌剤２０の残量の確認作業が容易である。例えば、図１に示すように、作業者が点検のため殺虫殺菌器具１Ａにおける蓋部７を開放させた際に、前記殺虫殺菌剤保持体１０の透明な容器部１１を介して、水接触型固形殺虫殺菌剤２０の上端部が該雨水ます２内の水位より上方にあることが視認できれば該水接触型固形殺虫殺菌剤２０が十分に残留していることがわかる。これに対し、該上端部が水面下に没して視認できない状態、もしくは該容器部１１にあらかじめ設けられた基準線より下にあって規定量を満たさない状態であれば補充を要する時期であることがわかり、該容器部１１のキャップ１３を開けて該水接触型固形殺虫殺菌剤２０を適切に補充することになる。なお、水接触型固形殺虫殺菌剤２０の残量を容易に視認可能とするために、上記のように容器部１１を透明材料で構成してもよいし、あるいは該容器部１１の上端に形成された開口部から確認するようにしてもよい。
【００３７】
（実施例２）
以下、実施例２にかかる殺虫殺菌器具１Ｂについて説明するが、実施例１と共通する部分については説明を簡略又は省略し、また図中では同じ符号を付すこととする。
【００３８】
図３に示すように、殺虫殺菌器具１Ｂにかかる水滞留部は、雨水ます等の内部に配置されるバケット２Ｂで構成されている。
【００３９】
該バケット２Ｂは、砂泥等が堆積、あるいは雨水が滞留するバケット本体部３１と該バケット本体部３１の上縁部に取り付けられた略コ字状の把持部３２とで構成されている。さらに、該把持部３２の根元部には、ガイド筒部支持部３３が取り付けられており、該ガイド筒部支持部３３にガイド筒部５Ｂが着脱自在に接続されている。該ガイド筒部５Ｂには、多数の透水孔６が設けられていると共に、該ガイド筒部５Ｂ内には、殺虫殺菌剤保持体１０が浮かべられている。
【００４０】
このように、ガイド筒部５Ｂは、水滞留部としてのバケット２Ｂに対して着脱自在に取り付けられている。このような構成とすると、水接触型固形殺虫殺菌剤２０の補充等のメンテナンス作業が容易に行える。
【００４１】
（実施例３）
以下、実施例３にかかる殺虫殺菌器具１Ｃについて説明するが、実施例１，２と共通する部分については説明を簡略又は省略し、また図中では同じ符号を付すこととする。
【００４２】
図４ａ，図４ｂに示すように、殺虫殺菌器具１Ｃは、水滞留部としてのバケット２Ｂの内周面から突設された左右一対のガイド壁部５Ｃ，５Ｃを備えている。該ガイド壁部５Ｃは、図４ａに示すように、平面視Ｌ字状に形成されていると共に、図４ｂに示すように、バケット本体部３１の下端から上端にかけて連続状に形成されている。また、左右一対のガイド壁部５Ｃ，５Ｃ間には、縦長のスリットからなる透水部３５が形成されている。そして、該透水部３５を介して、該ガイド壁部５Ｃ，５Ｃと該バケット２Ｂの内周面とで囲まれた空間にはバケット２Ｂ内の水が流入可能となっている。
【００４３】
また、図４ｃに示すように、殺虫殺菌剤保持体１０は、上端にフランジ状の係合部２２を有する成形体からなる水接触型固形殺虫殺菌剤２０と、前記係合部２２に直接係着するフロート部１５とで構成されている。このように、水接触型固形殺虫殺菌剤２０にフロート部１５を直接結合する場合は、殺虫殺菌効果が失われても全溶せずに外形がほぼそのまま残る非水溶性の水接触型固形殺虫殺菌剤２０が好適である。
【００４４】
かかる構成にあって、図４，図４ｂに示すように、前記殺虫殺菌剤保持体１０は、該ガイド壁部５Ｃ，５Ｃと該バケット２Ｂの内周面とで囲まれた空間内に配置されている。かかる構成とすることにより、該バケット２Ｂの内周面の一部を用いて殺虫殺菌剤保持体１０を水平方向の移動範囲を規制しつつ水位に合わせて鉛直方向に移動自在にガイドすることが可能となり、殺虫殺菌器具１Ｃの簡素化及びバケット２Ｂ内の省スペース化を図ることができる。
【００４５】
なお、前記ガイド壁部５Ｃは、バケット本体部３１の下端から上端にかけて非連続状に形成されていてもよい。また、ガイド壁部５Ｃは、必ずしも平面視Ｌ字状に形成されている必要はなく、例えば平面視Ｃ字状であってもよいし、さらには一対のガイド壁部５Ｃ，５Ｃをそれぞれ平板部材で構成し、これらをバケット２Ｂの中心部に向かって互いの距離が縮まるような平面視ハの字状に配設し、該ガイド壁部５Ｃ，５Ｃとバケット２Ｂの内周面とからなる空間内に該殺虫殺菌剤保持体１０を配置する構成としてもよい。
【００４６】
（実施例４）
以下、実施例４にかかる殺虫殺菌器具１Ｄについて説明するが、実施例１〜３と共通する部分については説明を簡略又は省略し、また図中では同じ符号を付すこととする。
【００４７】
図５ａに示すように、殺虫殺菌器具１Ｄは、雨水ます２Ａ内に鉛直方向に固定されたガイド部材としてのガイド柱部５Ｄを備えている。また、図５ｂに示すように、殺虫殺菌剤保持体１０は、円環状の水接触型固形殺虫殺菌剤２０及び同形状のフロート部１５が上下に積層されてなり、これにより該殺虫殺菌剤保持体１０の中央には鉛直方向に開口した貫通孔３９が形成されている。該貫通孔３９の孔径は、ガイド柱部５Ｄの外径に比べて大きく、該ガイド柱部５Ｄが該貫通孔３９内に挿通されている。
【００４８】
かかる構成にあっては、殺虫殺菌剤保持体１０が雨水ます２Ａ内の水位の変動に応じて鉛直方向に移動可能であり、かつ水平方向の移動範囲は規制されている。
【００４９】
なお、前記ガイド柱部５Ｄは、厳密に鉛直方向に沿って起立している必要は無く、略鉛直方向に沿って起立していればよい。また、かかる構成は、前記フロート部１５の貫通孔３９の内周縁と該ガイド柱部５Ｄの外周との接触によって前記殺虫殺菌剤保持体１０の水平方向への移動範囲が規制されることから、余計な抵抗を排除するために前記貫通孔３９及び前記ガイド柱部５Ｄの形状はそれぞれ平面視円形が望ましい。
【００５０】
（実施例５）
以下、実施例５にかかる殺虫殺菌器具１Ｅについて説明するが、実施例１〜４と共通する部分については説明を簡略又は省略し、また図中では同じ符号を付すこととする。
【００５１】
図６に示すように、殺虫殺菌器具１Ｅにおける殺虫殺菌剤保持体１０の中央には貫通孔３９が形成され、該貫通孔３９内には、雨水ます２Ａの内部に配置されるバケット２Ｂのバケット本体部３１が挿通されている。さらに、バケット本体部３１の下部には、スリット状の透水孔３８が形成され、該雨水ます２Ａ内の雨水が該バケット本体部３１内にも流入可能となっている。
【００５２】
かかる構成にあっては、殺虫殺菌剤保持体１０が雨水ます２Ａ内の水位の変動に応じて鉛直方向、すなわちバケット本体部３１の深さ方向に沿って移動可能であり、かつ水平方向の移動範囲は規制されている。したがって、本実施例のバケット本体部３１は、ガイド柱部５Ｅとしての機能も果たしている。そして、該水接触型固形殺虫殺菌剤２０は、雨水ます２Ａ及びバケット本体部３１内の雨水に対して殺虫殺菌効果を発揮する。
【００５３】
（実施例６）
以下、実施例６にかかる殺虫殺菌器具１Ｆについて説明するが、実施例１〜５と共通する部分については説明を簡略又は省略し、また図中では同じ符号を付すこととする。
【００５４】
図７ａに示すように、雨水ます２Ａの内周面には、凹形状のガイド係合部５Ｅが略鉛直方向に沿って設けられている。一方、殺虫殺菌剤保持体１０には、凸形状の被係合部４０が設けられている。そして、該被係合部４０が該ガイド係合部５Ｅ内に挿入されて互いに係合した状態となると、該殺虫殺菌剤保持体１０は、該ガイド係合部５Ｅに沿って雨水ます２Ａ内の水位に合わせて鉛直方向に移動自在となり、かつ水平方向の移動範囲が規制される。
【００５５】
なお、図７ｂに示すように、略鉛直方向に沿って設けられた前記ガイド係合部５Ｅが凸形状とされ、一方、殺虫殺菌剤保持体１０の被係合部４０が、該ガイド係合部５Ｅに係合する凹形状とされていても勿論よい。
【００５６】
本発明は、これまでに述べた実施例１〜６に限定されることはなく、適宜変更可能である。例えば、水接触型固形殺虫殺菌剤２０にフロート部１５を設ける構成としては、水接触型固形殺虫殺菌剤２０とフロート部１５とを互いに嵌着、螺着等させて直接結合させる構成でもよい。また、ガイド筒部５Ａ，５Ｂ、及び容器部１１には透水部として透水孔６，１２が多数形成されているが、孔に限定されず、スリットであってもよいし、複数に限定されず、単数であってもよい。また、水滞留部として雨水ます２Ａ、バケット２Ｂを例に挙げて説明したが、水滞留部としては、これらに限定されず、貯留槽など水が滞留する可能性のあるあらゆる場所が適用可能である。また、水溶性の水接触型固形殺虫殺菌剤２０としては、銀系無機抗菌剤の他、水中における抗菌効果が高いことが知られている銅系のものであってもよい。また、水溶性の水接触型固形殺虫殺菌剤２０の形状は、水に溶解しやすく、しかも容器部１１内において流動性がよいため粒状が好ましいが、これに限定されることはなく、他の形状であってもよい。さらに、銅部材や銅合金部材などを水に接触させることにより殺虫殺菌効果が得られる非水溶性の水接触型固形殺虫殺菌剤が適宜使用されてもよい。また、殺虫殺菌剤保持体１０の容器部１１の形状やガイド筒部５Ａの形状は、完全な円筒形状である必要は無く、一部が切欠された形状や角筒形状であっても勿論よい。また、ガイド筒部５Ａは、厳密に鉛直方向に沿って配置される必要は無く、略鉛直方向に沿って配置されていればよい。
【符号の説明】
【００５７】
１Ａ〜１Ｆ  殺虫殺菌器具
２Ａ        雨水ます（水滞留部）
２Ｂ        バケット（水滞留部）
５Ａ，５Ｂ  ガイド筒部（ガイド部）
５Ｃ        ガイド壁部（ガイド部）
５Ｄ，５Ｅ  ガイド柱部（ガイド部）
５Ｆ        ガイド係合部（ガイド部）
６          ガイド筒部の透水孔（透水部）
１０        殺虫殺菌剤保持体
１１        容器部
１２        容器部の透水孔（透水部）
１５        フロート部
２０        水接触型固形殺虫殺菌剤
３９        貫通孔
４０        被係合部
【図１】
2013023950.tif 000003
【図２】
2013023950.tif 000004
【図３】
2013023950.tif 000005
【図４】
2013023950.tif 000006
【図５】
2013023950.tif 000007
【図６】
2013023950.tif 000008
【図７】
2013023950.tif 000009